(57)【要約】      （修正有）【課題】地震発生初期に身の安全を確保すべく保身の態勢を取るよう警鐘を鳴らすことができる手段を安価に提供する。【解決手段】基板２上に、複数の警鐘体４Ａ，４Ｂと該警鐘体に接触して警鐘を鳴らす複数の打鐘部材６Ａ，６Ｂとを備える。警鐘体４Ａ，４Ｂ及び打鐘部材６Ａ，６Ｂを地震の揺れに連動して振動可能に支持させ、地震の揺れに応動したそれらの相対的な振動でそれらが相互に接触することにより、地震発生初期に警鐘を鳴らすように構成する。【選択図】図１
0003112131.tif 000002
【実用新案登録請求の範囲】
【請求項１】
基板上に、複数の警鐘体と該警鐘体に接触して警鐘を鳴らす複数の打鐘部材とを備え、
上記警鐘体及び打鐘部材の少なくとも一方を、地震の揺れに応動して振動可能に支持させ、地震の揺れに連動したそれらの相対的な振動でそれらが相互に接触することにより、地震発生初期に警鐘を鳴らすように構成した、
ことを特徴とする感震計。
【請求項２】
上記警鐘体及び打鐘部材の少なくとも一方を、基板上にコイルばねで支持させた、
ことを特徴とする請求項１に記載の感震計。
【請求項３】
複数の打鐘部材を構成するコイルばねを、それぞれ固有振動数の異なるものとした、
ことを特徴とする請求項２に記載の感震計。
【請求項４】
上記打鐘部材を構成するコイルばねを、複数の固有振動数を異にするコイルばねの直列的連結により形成した、
ことを特徴とする請求項２に記載の感震計。
【請求項５】
上記警鐘体がベル形または円筒形状である、
ことを特徴とする請求項２に記載の感震計。
【請求項６】
上記複数の警鐘体と打鐘部材とを、地震の異なる揺れ方向に応動して打鐘するように異なる対向方向に配設した、
ことを特徴とする請求項１乃至５のいずれかに記載の感震計。
【請求項７】
上記警鐘体を椀状部を多重に連結することにより形成し、二つの椀状部の間に複数の打鐘部材を配設した、
ことを特徴とする請求項２に記載の感震計。
【請求項８】
上記基板に配設した電源手段と、上記警鐘体及び打鐘部材の少なくとも一つに設けられ、該電源手段に電気的に接続した発光ダイオードとを備え、上記警鐘体と打鐘部材をそれぞれ上記電源手段の異なる電極に接続し、それらの接触時に上記発光ダイオードを点灯させるように配線した、
ことを特徴とする請求項１乃至７のいずれかに記載の感震計。
【請求項９】
上記基板に配設した電源手段と、該電源手段に電気的に接続した警報手段とを備え、上記警鐘体と打鐘部材をそれぞれ上記電源手段の異なる電極に接続し、それらの接触時に上記警報手段により警報音を発するように配線した、
ことを特徴とする請求項１乃至８のいずれかに記載の感震計。
【請求項１０】
上記基板上に、震度にほぼ比例した振幅で振動するばね部材からなる棒状の揺動体を立設すると共に、該揺動体の振幅に対応する震度目盛を設けた、
ことを特徴とする請求項１乃至９のいずれかに記載の感震計。
【考案の詳細な説明】
【技術分野】
【０００１】
本考案は、地震発生初期に警鐘を鳴らして、健常者のみならず、子供や老人あるいは障害者等の社会的弱者にもできる限り早く且つ解りやすく、身の安全を確保すべく保身の態勢をとるよう警報を発することが可能な感震計に関するものである。
【背景技術】
【０００２】
地震大国の日本においては、地震を検知し警報を発するための地震計等の機器が従来より使用されているが、精密巧緻な感知機器は、非常に高価であるうえにその取り扱いも繁雑なものが多く、子供や老人、あるいは機械操作に不慣れな人にとっては操作が難しいばかりでなく、その表示方法も専門的で難解なものが多い。それゆえ、このような地震の感知機器は、限られた施設に設置されているのみであり、一般の目に触れることは殆どないのが現状である。
【０００３】
而して、近年日本においても各地で地震災害が頻発しており、その犠牲になってしまう人々の数も決して少なくはない。このような人々の中には、子供や老人あるいは障害者等の社会的弱者が多く含まれ、地震発生時における咄嗟の判断の遅れによって保身及び避難行動が遅れたことが原因である場合が数多く含まれていると思われる。
【考案の開示】
【考案が解決しようとする課題】
【０００４】
如上に鑑みて、本考案の技術的課題は、健常者のみならず、子供や老人あるいは障害者等の社会的弱者といわれる人々でも解りやすい音や光等の手段により、地震発生初期に身の安全を確保すべく保身の態勢を取るよう警鐘を鳴らすことができる手段を安価に提供することにある。
【課題を解決するための手段】
【０００５】
上記課題を解決するため、本考案の感震計は、基板上に、複数の警鐘体と該警鐘体に接触して警鐘を鳴らす複数の打鐘部材とを備え、上記警鐘体及び打鐘部材の少なくとも一方を、地震の揺れに連動して振動可能に支持させ、地震の揺れに応動したそれらの相対的な振動でそれらが相互に接触することにより、地震発生初期に警鐘を鳴らすように構成したことを特徴とするものである。
【０００６】
本考案の感震計の好ましい実施形態においては、上記警鐘体及び打鐘部材の少なくとも一方を、基板上にコイルばねで支持させるのが有効であり、この場合、複数の打鐘部材を構成するコイルばねを、それぞれ固有振動数のことなるものとすることができ、あるいは、上記打鐘部材を構成するコイルばねを、複数の固有振動数を異にするコイルばねの直列的連結により形成することができる。また、上記警鐘体はベル形または円筒形状とすることができ、この場合、上記複数の警鐘体と打鐘部材とを、地震の異なる揺れ方向に応動して打鐘するように異なる対向方向に配設するのが適切である。
さらに、上記警鐘体を椀状部を多重に連結することにより形成し、二つの椀状部の間に複数の打鐘部材を配設した構成とすることができる。
【０００７】
また、本考案の感震計の他の好ましい実施形態においては、上記基板に配設した電源手段と、上記警鐘体及び打鐘部材の少なくとも一つに設けられ、該電源手段に電気的に接続した発光ダイオードとを備え、上記警鐘体と打鐘部材をそれぞれ上記電源手段の異なる電極に接続し、それらの接触時に上記発光ダイオードを点灯させるように構成することができ、また、上記基板に配設した電源手段と、該電源手段に電気的に接続した警報手段とを備え、上記警鐘体と打鐘部材をそれぞれ上記電源手段の異なる電極に接続し、それらの接触時に上記警報手段により警報音を発するように構成することもできる。
さらに、上記基板上に、震度にほぼ比例した振幅で振動するばね部材からなる棒状の揺動体を立設すると共に、該揺動体の振幅に対応する震度目盛を設けることができる。
【考案の効果】
【０００８】
以上に詳述した本考案の感震計によれば、健常者のみならず、子供や老人あるいは障害者等の社会的弱者といわれる人々でも解りやすい音や光等の手段により、地震発生初期に身の安全を確保すべく保身の態勢を取るよう警鐘を鳴らすことができる手段を安価に提供することができる。
【考案を実施するための最良の形態】
【０００９】
図１は本考案に係る感震計の第１実施例を示している。
この感震計１は、図１に示すように、概略的には、地震の揺れを受振する基板２と、該基板２上に配設された複数の警鐘体４Ａ，４Ｂと、該基板２上において該警鐘体４Ａ，４Ｂの周囲に立設された複数の打鐘部材６Ａ及び複数の上記警鐘体４Ｂの中央に立設された打鐘部材６Ｂとを備えている。
【００１０】
上記基板２は一部中空の板状に形成されており、その上面に複数の上記警鐘体４Ａ，４Ｂを配設すると共に、それぞれの警鐘体４Ａ，４Ｂの周囲に複数の打鐘部材６Ａが立設されており、また、該基板２の内部には電源手段８及び警報手段を構成するブザー１０を内蔵している。
上記電源手段８は、後述する上記警鐘体４Ａの上方に配設するところの発光ダイオード１６、並びに上記警報手段としてのブザー１０に電気的に接続すると共に、当該電源手段８の異なる電極にそれぞれ上記警鐘体４Ａ，４Ｂと打鐘部材６Ａ，６Ｂを接続している。なお、この電源手段８は、各種電池を装填する電池ボックス、あるいは外部電源に接続するコンセント等、適宜の手段で構成することができる。
上記発光ダイオード１６及びブザー１０は、コイルばねからなる警鐘体４Ａ及びリード線１７を介して上記電源手段８に電気的に接続され、地震の揺れに連動した上記警鐘体４Ａ，４Ｂと打鐘部材６Ａ，６Ｂの相対的な振動でそれらが相互に接触することにより通電回路を閉じて、発光すると共にブザー音を鳴らし、周囲の人に光及び音による警報を発するものである。
【００１１】
複数の上記警鐘体４Ａ，４Ｂは、それぞれ真鍮等の導電性のある金属によりベル形に形成されている。上記警鐘体４Ａは、上記基板２の略中央に導電性のコイルばね１２で支持されており、その周囲には、該警鐘体４Ａよりも若干小型に形成した警鐘体４Ｂが、開口側を上方に向けた状態で上記警鐘体４Ａの周囲を取り囲むように配列されている。そして、それぞれの警鐘体４Ａ，４Ｂが、上記基板２に配設した電源手段８の一方の電極に接続されている。また、上記警鐘体４Ａの上部には、震度にほぼ比例した振幅で振動する導電性のコイルばねで形成した棒状の揺動体１４が立設されており、該揺動体１４の先端には発光ダイオード１６が付設されている。この発光ダイオード１６は、地震の揺れに応動した警鐘体４Ａと打鐘部材６Ａの相対的な振動でそれらが相互に接触したときに点灯して、周囲の人に光により視覚的に警報を発するためのものである。また、上記基板２上には、上記揺動体１４の振幅に対応する震度目盛を付した目盛版１８が付設されており、該揺動体１４の揺動により、おおよその震度を計測できるように構成している。
【００１２】
上記警鐘体４Ａと，その周囲に配列された警鐘体４Ｂとの間には、複数の打鐘部材６Ａが立設されており、また、上記警鐘体４Ａの周囲に開口側を上方に向けた状態で配列された警鐘体４Ｂの中央には、それぞれ打鐘部材６Ｂが立設されている。これらの打鐘部材６Ａ，６Ｂは、地震発生時においては、打鐘部材６Ａは主に警鐘体４Ａに、また、打鐘部材６Ｂは警鐘体４Ｂに接触して警鐘を鳴らすように構成されている。
なお、これらの複数の警鐘体４Ａ，４Ｂと打鐘部材６Ａ，６Ｂは、地震の異なる揺れ方向に応動して打鐘するようにするため、異なる対向方向に配設される。
上記打鐘部材６Ａ，６Ｂは、導電性のある金属からなるコイルばね６ａの上端に打鐘体６ｂを付設することにおり構成しており、それぞれの打鐘部材６Ａ，６Ｂが上記基板２に設けた電源手段８における上記警鐘体４Ａ，４Ｂとは異なる電極に接続されている。そして、それぞれの打鐘部材６Ａ，６Ｂを構成するコイルばね６ａは、それらの固有振動数を異なるものとして構成されている。
なお、上記打鐘部材６Ａ，６Ｂを構成するコイルばね６ａは、単一のコイルばねで形成するものに限定されず、複数の固有振動数を異にするコイルばねの直列的連結により形成することもできる。
このように、固有振動数を異にするコイルばねを用いることにより、周波数を異にする震動に対して何れかのコイルばねを振動させ、各種周波数の地震を感知させることができる。
また、上記打鐘部材６Ａ，６Ｂの先端に発光ダイオードを設けて、上記警鐘体４Ａ，４Ｂとの接触時に該発光ダイオードを点灯させるように構成することもできる。
【００１３】
上記構成を有する感震計１は、地震発生時において、地震の揺れに応動した上記警鐘体４Ａ，４Ｂと打鐘部材６Ａ，６Ｂの相互の振動でそれらが相互に接触することにより警鐘を鳴らし、地震発生初期に周囲の人に警報を発することができる。このとき、上記基板２に内蔵した警報手段を構成するブザー１０がブザー音を鳴らして、音による警報を発すると同時に、上記警鐘体４Ａにおける揺動体１４の先端に設けた発光ダイオード１６が点灯して光により視覚的に警報を発する。また、上記警鐘体４Ａにおける揺動体１４の揺動を目盛版１８の震度目盛で測ることにより、おおよその震度を把握することができるので、避難をする際の判断の一助とすることができる。
【００１４】
このように、本考案の感震計によれば、健常者のみならず、子供や老人あるいは障害者等の社会的弱者といわれる人々でも解りやすい音や光等の手段により、地震発生初期に身の安全を確保すべく保身の態勢を取るよう的確に地震の初期微動（Ｐ波）で警鐘を鳴らすことができ、また、構造が非常に簡単であるため、子供や老人、あるいは機械操作に不慣れな人にも容易に操作することができ、しかも、上述したように万人に解りやすいうえに、地震発生初期に的確に警報を発することができる手段を安価に提供することができる。
【００１５】
次に、図２は本考案の感震計の第２実施例を示している。
この第２実施例の感震計２１は、基板２のほぼ中央に揺動体３４を立設し、該揺動体３４を中心とした周囲に、導電性の金属からなるパイプで構成した複数の警鐘体２４を配設している。また、それらの警鐘体２４と上記揺動体３４の間に位置して、複数の打鐘部材２６が立設されている。
【００１６】
上記警鐘体２４は、上記基板２上に立設した導電性の支柱３８を、パイプからなる該警鐘体２４の内部に挿通し、該支柱３８の先端において、警鐘体２４の上端を導電性のワイヤー４０で吊下することにより、地震の揺れに応動して振動可能に支持されている。
また、上記揺動体３４の先端には発光ダイオード３６が付設されており、上記警鐘体２４と打鐘部材２６が相互に接触することにより、該発光ダイオード３６が点灯するように配線されている。
【００１７】
なお、上記警鐘体２４は、上述したような該警鐘体を構成するパイプの内部において支柱３８で支持するものに限定されず、例えば、図３に示すように、基板２上に導電性の吊下金具５８を立設して、該吊下金具５８に上記警鐘体２４をその上端に付設した導電性のワイヤー４０で吊下することもできる。
ここで、この第２実施例のその他の構成及び作用は、実質的に前記第１実施例と変わるところがないので、同一部分または相当部分に同一符号を付して、それらの説明を省略する。
【００１８】
図４は、本考案の感震計の第３実施例を示している。
この第３実施例の感震計６１は、基板２のほぼ中央に、導電性を有する大小二つの椀状部６４ａ，６４ｂを上下に連結することにより形成した警鐘体６４を配設しており、該警鐘体６４を構成する二つの椀状部６４ａ，６４ｂの間には、複数の打鐘部材６６が立設されている。
【００１９】
上記警鐘体６４は、椀状部６４ａ及び該椀状部６４ａよりも小径の椀状部６４ｂを、それらのほぼ中央においてパイプ状部６４ｃで固定的に連結することにより構成されており、該パイプ状部６４ｃの中央には、該椀状部６４ａ，６４ｂを貫通する貫通孔６４ｄが設けられている。また、該椀状部６４ａ上には，椀状部６４ｂの周囲を取り囲むように複数の打鐘部材６６が配列されている。
そして、上記パイプ状部６４ｃの中央を貫通するところの上記貫通孔６４ｄに挿通されて、導電性のコイルばねで形成した揺動体７４が立設されている。該揺動体７４は、複数の固有振動数を異にするコイルばねの直列的連結により形成することもでき、その先端には発光ダイオード７６が付設されており、上記警鐘体６４を構成する椀状部６４ａ，６４ｂと打鐘部材６６が相互に接触することにより、該発光ダイオード７６が点灯するように配線されている。
【００２０】
なお、上記警鐘体６４は、上述したような二つの椀状部６４ａ，６４ｂで構成したものに限らず、適宜数の椀状部を多重に連結することにより構成することができる。
また、上記警鐘体６４は、該警鐘体６４を構成する椀状部６４ａ，６４ｂをパイプ状部６４ｃで固定的に連結したものに限定されず、上記椀状部６４ａ，６４ｂをコイルばねで連結することにより、該椀状部６４ｂを地震の揺れに応動して振動可能に構成することもできる。
ここで、この第３実施例のその他の構成及び作用は、実質的に前記第１実施例と変わるところがないので、同一部分または相当部分に同一符号を付して、それらの説明を省略する。
【図面の簡単な説明】
【００２１】
【図１】本考案の第１実施例を示す斜視図である。
【図２】本考案の第２実施例を示す斜視図である。
【図３】第２実施例における警鐘体の他の実施形態を示す要部斜視図である。
【図４】本考案の第３実施例を示す断面図である。
【符号の説明】
【００２２】
１，２１，６１    感震計
２    基板
４Ａ，４Ｂ，２４，６４    警鐘体
６Ａ，６Ｂ，２６，６６    打鐘部材
８    電源手段
１０    ブザー
１４，３４，７４    揺動体
１６，３６，７６    発光ダイオード
１８    目盛版
６４ａ，６４ｂ  椀状部
【図１】
0003112131.tif 000003
【図２】
0003112131.tif 000004
【図３】
0003112131.tif 000005
【図４】
0003112131.tif 000006